(57)【要約】      （修正有）【課題】書類収納ファイルにおいて蓋となるフラップが邪魔にならず、片手でスムーズな書類の出し入れを可能とする。【解決手段】上部に収納開口部を有するファイル収納体１０において、収納体の背面に左右対称となる切り抜き溝１２を設け、該切り抜き溝に屈曲可能な薄い蓋体２０の後面２２の２箇所に止め具４１を垂直に貫通してスライド可能に連結する。閉蓋するには、蓋の前面２１を引き上げて蓋上面２３が収納体の開口を塞ぐ位置にまで引き出してから収納体前面に向けて折畳み、その先端の止め具をロックする。【選択図】図３
0003130024.tif 000002
【実用新案登録請求の範囲】
【請求項１】
ドキュメントファイルの収納体、蓋体、止め具からなり、
上記収納体は、上部に収納開口部を設けると共に、背面側に少なくとも一つの切り抜き溝を縦方向に設け、
上記蓋体は、該収納体の前面、上面開口部及び後面を屈曲して覆い、
上記止め具は、蓋体を収納体の切り抜き溝に垂直に貫通して連結することにより蓋体を上下方向に滑動自在としたことを特徴とする可動式フラップ付きファイル。
【請求項２】
上記収納体の背面側に設ける切抜き溝は、二本としたことを特徴とする請求項１に記載の可動式フラップ付きファイル。
【請求項３】
上記止め具は、ブラインドリジェット、及びワッシャーから構成され、リジェットの軸を蓋体のリジェット穴に貫通させ、さらにそれに重合する収納体の切り抜き溝に貫通させた後、切り抜き溝の幅より直径の広いワッシャーを収納体内部からリジェット軸に嵌合させ、引き抜き方式でリジェットの先端部をこぶ状に変形させワッシャーを挟んだ形で蓋体と収納体を連結したことを特徴とする請求項１に記載の可動式フラップ付きファイル。
【請求項４】
上記収納体前面板と蓋体前端面とに、蓋体の閉蓋状態を保持する係止具を設けたことを特徴とする請求項１に記載の可動式フラップ付きファイル。
【請求項５】
上記収納体内部の収納空間は、側面を蛇腹折り状態に連結させた複数の書類収納ポケットから形成されることを特徴とする請求項１に記載の可動式フラップ付きファイル。
【請求項６】
上記係止具は、蓋体の前端面中央部に押し込み式の雄型部材を固定するとともに、収納体前面板において蓋体上の雄型部材に臨む位置に雌型部材を固定したことを特徴とする請求項４に記載の可動式フラップ付きファイル。
【考案の詳細な説明】
【技術分野】
【０００１】
本考案は、書類の出し入れに便利な可動式フラップを有するドキュメントファイルの構造に関する。
【背景技術】
【０００２】
従来のファイルに関しては、サラリーマンが書類を分類、携帯する際に抱える問題等、消費者の多様なニーズに応えたファイルの製造販売がすでに行われており、さらに利便性を追求したファイルの研究開発が続けられている。中華民国特許申請番号第９３２１８８５２号の『ファイルの改良構造』は本考案の考案者が開発したファイル構造であり、複数の収納ポケットを設けることにより収納量を増やし、また、そのまま携帯することが可能な新規な設計のドキュメントバッグであり、消費者から多大な支持を受けている。
【０００３】
しかしながら、前記のファイルにおいては収納体の上端に連接されたファイル閉蓋用の蓋体が、構造上、開蓋後も自然に閉蓋状態の位置に戻る性質があるため、開蓋状態を保つためには一方の手で蓋体を上方向（または後方）に向けて抑えた上で、もう一方の手で書類を取り出さなければならず、蓋体が邪魔になり書類の出し入れの際に多少の困難が生じていた。
【特許文献１】特開２００５−２８０３１９号公報
【考案の開示】
【考案が解決しようとする課題】
【０００４】
本考案は、既存ファイルの蓋体の構造上の問題に鑑みて改良したもので、片手だけで書類の出し入れがスムーズにできるよう、利便性を強化した新型ファイルを提供することを目的とする。
【課題を解決するための手段】
【０００５】
前記目的を達成するため、本考案のファイルは収納体上部に収納開口部を有し、背面板の両端に切り抜き溝を設けてなり、屈曲可能な薄手の蓋体と収納体の切り抜き溝部分を、止め具を垂直に貫通させ、蓋体と収納体を連結させることにより蓋体を上下方向にスライド可能にするという構造を呈している。このような構造によれば、開蓋時に切り抜き溝に設けられた止め具を介して蓋体をスライドさせ、蓋体を収納体の背面外側の相当箇所まで下向きに移動させることが可能で、収納体上部の収納開口部を全開状態にすることにより収納体内部の書類を片手ですばやく取り出すことができる。
【考案の効果】
【０００６】
以上の説明のように、本考案によれば、上下方向に滑動自在な蓋体を設け、蓋体を収納体開口部を覆わないようにスライドさせ、ファイルを全開状態にすることにより、収納された書類が片手でスムーズにすばやく出し入れできるようになる。
【考案を実施するための最良の形態】
【０００７】
上述の目的及び効果を達成するため、本考案が採用した技術的手段及びその構造について、以下に説明図及び実施例を用いてその特徴と効果を詳細に説明する。
【０００８】
図１、図２、図３に示す本考案のファイルの構造は、収納体１０、及び蓋体２０からなり、そのうち収納体１０は上部に収納開口部を有する長方形状の箱型構造で、収納体１０の内部には収納空間１１を形成する。収納空間は、単一空間でもよいし、図が示すように側面を連結させ、アコーディオン状を呈した複数の書類収納ポケットから形成してもよい。実施例の収納空間は、書類の系統的な分類や並び替え、また事後に書類を探し出す際の便宜を考慮し、複数の収納ポケット式を採用している。収納体１０の背面板の両端に左右対称となる切り抜き溝１２を設け、切り抜き溝１２は蓋体２０を滑動自在な状態で連結している。蓋体２０は収納体１０の長さに対応した屈曲可能な構造であり、蓋体２０は二本の折線を介して前面２１と背面２２、上面２３に区分され、二本の折線の間に位置する上面２３が収納体１０の上部開口部をカバーし、密着するように蓋体２０の前面２１の端部と収納体１０の前面板に止め具を固定する。止め具は、雄雌型（スナップ）部材を使用してもよいし、あるいは両外縁部に弾性のある丸型のとめボタンをそれぞれ固定し、ひも状の部材を絡めて結合する方法でもよい。実施例では図のように収納体１０の前面板に凹状雌型部材３１を固定し、蓋体２０の前面２１の先端中央部に雌型部材に対応する押し込み式の雄型部材３２等の止め具を固定する。また蓋体２０の背面２２を収納体の切り抜き溝１２に対応する箇所にリベット穴を設け、リベットで収納体１０と連結させ、本考案のファイル１とする。
【０００９】
図４、図５、図６に示す実施例の止め具は、ブラインドリジェット４１、及びワッシャー４２から構成され、リジェット４１の頭部４１１は切り抜き溝１２の幅よりやや大きめの直径とし、頭部から伸びる軸部４１２は切り抜き溝１２の幅と同等、あるいはやや小さめの軸径からなる。リジェット４１は、軸部４１２を蓋体２０の背面２２の両側の穴に垂直に貫通させ、さらに収納体１０の切り抜き溝１２に垂直に貫通させる。さらに切り抜き溝１２の幅より直径がやや大きいワッシャー４２を収納体１０の収納空間１１からリジェット軸４１２に嵌合させ、引き抜き方式でリジェット軸４１２の先端部をワッシャー４２を挟んだ状態でこぶ状に変形させ拡大部４１３を形成する。切り抜き溝１２内のリジェット４１の点を介して蓋体２０を略平行に固定することによって、上下方向に滑動自在となる。このような方法で蓋体２０を収納体１０と連結させ、本考案のファイル１を構成する。
【００１０】
図４、図５、図６に図７を補足して詳述すると、図４は収納体１０と蓋体２０において閉蓋時の状態の説明図である。図４の閉蓋状態から開扉し、収納空間１１内に保存した資料を取り出すためには、蓋体２０の前面２１の止め具の雄型部材３２を収納体の雌型部材３１から脱離させ、蓋体２０の前面２１を上方向に開扉すると図５が示す状態となる。さらに収納体１０の背面にある蓋体２０を下方向に平行にスライドさせると、蓋体２０は収納体の切り抜き溝１２に対し垂直に貫通するリジェット４１を介して、スムーズに蓋体２０が下方向にスライドし、蓋体２０が収納体１０の背面の外部に重合し、図６、図７が示す状態となる。これによりファイル収納体１０の上部の収納開口部が開放された箱型の収納構造となり、ファイルの収納空間１１内の書類を取り出す際に、蓋体２０が邪魔になって書類が探しにくいという心配がなく、本考案のファイル１においては収納空間１１内の書類を片手ですばやく取り出すことができるまさに便利で実用的な考案である。
【図面の簡単な説明】
【００１１】
【図１】本考案のファイルの全体斜視図である。
【図２】本考案のファイルの閉蓋時の正面斜視図である。
【図３】本考案のファイルの閉蓋時の背面斜視図である。
【図４】本考案のファイルの閉蓋時の断面図である。
【図５】本考案のファイルの蓋体を上に移動させた状態の説明図である。
【図６】本考案のファイルの蓋体を下に移動させた状態の説明図である。
【図７】図６状態の全体斜視図である。
【符号の説明】
【００１２】
１    ファイル
１０  収納体
１１  収納空間
１２  切り抜き溝
２０  蓋体
２１  蓋体前面
２２  蓋体背面
２３  蓋体上面
３１  雌型部材
３２  雄型部材
４１  リベット（鋲）
４１１  頭部
４１２  軸部
４１３  先端拡大部
４２    ワッシャー
【図１】
0003130024.tif 000003
【図２】
0003130024.tif 000004
【図３】
0003130024.tif 000005
【図４】
0003130024.tif 000006
【図５】
0003130024.tif 000007
【図６】
0003130024.tif 000008
【図７】
0003130024.tif 000009